(57)【特許請求の範囲】
【請求項１】
ペン先と当接する内部材（３）をキャップ本体（２）内に収容した筆記具のキャップであって、前記キャップ本体（２）が、前端に傾斜面状外面を有する閉塞壁（２１）を備え且つ後端に開口部（２２）を備えた有底筒体よりなり、前記内部材（３）が、軸線に対して垂直な当接部（３１）を前面に有し、前記閉塞壁（２１）の内面に、前記内部材（３）の当接部（３１）と軸方向に当接し且つ前記当接部（３１）を軸線に対して垂直に支持する支持部（２３）を設け、前記閉塞壁（２１）が傾斜面状内面を有し、前記閉塞壁（２１）の傾斜面状内面から軸方向の長さの異なる縦リブよりなる支持部（２３）を一体に突設したことを特徴とする筆記具のキャップ。
【請求項２】
前記閉塞壁（２１）の傾斜面状外面に表示部を設けた請求項１記載の筆記具のキャップ。
【発明の詳細な説明】
【０００１】
【発明の属する技術分野】
本発明は、筆記具のキャップに関する。詳細には、ペン先と当接する内部材をキャップ本体内に収容した筆記具のキャップに関する。本発明において、「前」とは閉塞側を指し、「後」とは開口側を指す。
【０００２】
【従来の技術】
従来、垂直面状外面を有する閉塞壁を備えたキャップ本体内に、ペン先と当接しペン先の乾燥を防止する内部材（例えば、弾性体、多孔質体等）を収容したものは広く知られている。
【０００３】
【発明が解決しようとする課題】
しかし、図５に示すように、キャップ本体２ａが傾斜面状外面を有する閉塞壁２１ａを備え、内部材３ａが、両端に垂直面を有する場合、ただ単に、内部材３ａの外周面をキャップ本体２ａ内周面によって径方向にのみ保持した構造であると、キャップ１ａを筆記具本体５ａのペン先２ａ側に装着した際、ペン先２ａの前方への押圧により、内部材３ａが斜めになってしまい、ペン先２ａが折れ曲がるおそれがある。
【０００４】
本発明は前記課題を解決するものであって、キャップ本体が、傾斜面状外面を有する閉塞壁を備えたとしても、ペン先が当接した際に内部材を斜めにすることがなく、内部材が安定保持される筆記具のキャップを提供しようとするものである。
【０００５】
【課題を解決するための手段】
〔１〕本発明は、ペン先と当接する内部材３をキャップ本体２内に収容した筆記具のキャップ１であって、前記キャップ本体２が、前端に傾斜面状外面を有する閉塞壁２１を備え且つ後端に開口部２２を備えた有底筒体よりなり、前記内部材３が、軸線に対して垂直な当接部３１を前面に有し、前記閉塞壁２１の内面に、前記内部材３の当接部３１と軸方向に当接し且つ前記当接部３１を軸線に対して垂直に支持する支持部２３を設け、前記閉塞壁２１が傾斜面状内面を有し、前記閉塞壁２１の傾斜面状内面から軸方向の長さの異なる縦リブよりなる支持部２３を一体に突設したこと（請求項１）を特徴とする。
【０００６】
前記キャップ本体２内に前記内部材３を収容したとき、前記内部材３の前面に形成した軸線に対して垂直な当接部３１は、閉塞壁２１内面の支持部２３と、軸線に対して垂直に当接支持されている。それにより、前記内部材３は、ペン先の押圧によっても、斜めになることがなく、前記キャップ本体２内に安定保持されている。
【０００７】
【０００８】
【０００９】
キャップ本体２を合成樹脂材料の射出成形により得る場合、閉塞壁２１内面から一体に突設された軸方向に延びる縦リブにより構成したことによって、閉塞壁２１の肉厚変動部分が少なくなり、閉塞壁２１外面に、肉厚変動により生じる凹み（いわゆるヒケ）を十分に防止できる。もし仮に、前記縦リブによらず、閉塞壁２１内面に垂直平面によりなる支持部２１を設ける場合、閉塞壁２１が傾斜面状外面と垂直平面状内面とからなるため、閉塞壁２１の肉厚変動部分が広くなり、閉塞壁２１の外面に大きなヒケが発生するおそれがある。
【００１０】
また、前記縦リブが、閉塞壁２１の傾斜面状内面より軸方向の長さが異なる構成であるため、支持部２３の当接面を軸線に対して垂直面状に配設することができ、閉塞壁２１の内面が傾斜面状であっても、内部材３を安定的に保持可能な支持部２３を容易に設けることができる。
【００１１】
尚、前記縦リブは、板状突出部（例えば、十字状等の放射状縦リブ、複数の分散状縦リブ、円筒状縦リブ等）であり、閉塞壁２１の傾斜面状の内面より軸方向に一体に連設されていればよく、キャップ本体２内周面とは径方向に一体に連設されていても、いなくてもよい。
【００１２】
〔２〕前記請求項１の筆記具のキャップ１において、前記閉塞壁２１の傾斜面状外面に表示部を設けること（請求項２）が好ましい。
【００１３】
前記表示部とは、筆記具本体のペン先サイズやインキ色を表すものであり、文字や図形等よりなる。前記表示部を、閉塞壁２１の傾斜面状外面に設けたことにより、陳列状態にある筆記具を、購入時、消費者が容易に識別することができる。
【００１４】
また、前記閉塞壁２１の傾斜面状の外面は、特に、請求項１の構成により、ヒケの発生が抑えられているため、平滑面を維持でき、そこに表示部を印刷等により確実に設けることができる。
【００１５】
【発明の実施の形態】
本発明の実施の形態について図面に従って説明する。
【００１６】
図１〜図４に本発明・筆記具のキャップ１の一実施例を示す。キャップ１は、多孔質体よりなる内部材３と、その内部材３を内部に収容したキャップ本体２とからなる。
【００１７】
前記キャップ本体２は、後端に開口部２２を有し、前端に傾斜面状の閉塞壁２１を有する有底円筒状体であり、合成樹脂（例えばポリプロピレン、ポリエチレン等）の射出成形により得られる。また、前記キャップ本体２の閉塞側外周面には、クリップ２６（図１及び図４の二点鎖線部分）が一体に設けられている。また、前記閉塞壁２１の傾斜面状の外面には、ペン先サイズを表示する「太」、「中」、「細」等の文字からなる表示部が印刷されている。
【００１８】
前記傾斜面状の閉塞壁２１は、軸線に対する垂直面に対し傾斜した外面及び内面を有する。また、前記閉塞壁２１は、その外面及び内面が互いに平行であり、均一の肉厚を有する。
【００１９】
また、前記閉塞壁２１の内面、及び前記閉塞壁２１内面より前方に連接するキャップ本体２内周面には、支持部２３となる軸方向に延びる縦リブが、十字状（放射状）に一体に形成されている。前記縦リブよりなる支持部２３の後端面（当接面）は、内部材３の前面の垂直面状の当接部３１と軸方向に当接支持される。また、前記縦リブは、クリップ側とクリップ反対側とでは、閉塞壁２１内面から支持部２３までの軸方向の長さが異なり、クリップ反対側に比べクリップ側の方が短く設定されている。
【００２０】
さらに、前記支持部２３の後方のキャップ本体２内周面には、内部材３の円周状外周面を径方向に圧接保持する円周状の保持部２４が形成されている。また、前記保持部２４の後方のキャップ本体２内周面には、等間隔に複数本（ここでは８本）の軸方向に延びる縦リブよりなるガイド部２５が一体に形成されている。前記ガイド部２５により、内部材３を円滑に保持部２４へ挿入収容させることができる。
【００２１】
前記内部材３は、外周面が横断面円形状であり且つ両端面が軸線に対して垂直面状である円柱体である。前記内部材３は、多孔質材料（例えば、フェルト加工体、繊維の樹脂加工体、合成樹脂の発泡体等）よりなる。
【００２２】
尚、前記内部材３は、例えば、ペン先がボールペンチップ又は小管状ペン体等の場合は、ペン先を密封する弾性体（例えば、合成ゴムや熱可塑性エラストマー等）よりなるものが好ましく、また、ペン先がプラスチック押出成形ペン体や繊維ペン体等の場合は、多孔質体が好ましく、それにより、ペン先上向き状態でのペン先からのインキの下降やペン先からのインキの蒸発を防止する。
【００２３】
【発明の効果】
請求項１の筆記具のキャップは、内部材が、ペン先の押圧によっても斜めになることがなく、キャップ本体内に安定保持される。
【００２４】
請求項１の筆記具のキャップは、キャップ本体を合成樹脂材料の射出成形により得る場合、閉塞壁の肉厚変動部分が少なくなり、閉塞壁外面にヒケが発生することを十分に防止できる。
【００２５】
請求項２の筆記具のキャップは、表示部を、閉塞壁２１の傾斜面状外面に設けたことにより、陳列状態にある筆記具を、購入時、消費者が容易に識別することができる。特に、前記請求項１の構成と相まって、ヒケのない閉塞壁外面に、表示部を印刷等により確実に設けることができる。
【図面の簡単な説明】
【図１】本発明の実施例を示す縦断面図である
【図２】図１のＡ−Ａ線断面図である。
【図３】図１のＢ−Ｂ線断面図である。
【図４】図１のキャップ本体を示す縦断面図である。
【図５】従来の不具合を説明する図である。
【符号の説明】
１ キャップ
２ キャップ本体
２１ 閉塞壁
２２ 開口部
２３ 支持部（縦リブ）
２４ 保持部
２５ ガイド部（縦リブ）
２６ クリップ
３ 内部材
３１ 当接部
【図１】
0004132383.tif 000002
【図２】
0004132383.tif 000003
【図３】
0004132383.tif 000004
【図４】
0004132383.tif 000005
【図５】
0004132383.tif 000006